(57)【要約】【課題】レンズ鏡胴とカメラ本体を同時に支持しつつ、レンズ鏡胴が長い場合でもその長さに対応でき、重量が軽くて携行に嵩張らず、しかも三脚への装脱着が極めて容易なレンズ振れを確実に防止することができるカメラバランサを提供する。【解決手段】カメラバランサ１０は、ネジ案内溝２を有するフレーム１，円柱形サポート７ａ，７ｂを有するアーム６ａ，６ｂおよびロックレバー５ａ，５ｂより構成される。フレーム１はホルダ部１６に対し直角方向に折り曲げて形成されるフランジ３ａ，３ｂを有し、アーム６ａ，６ｂはロックレバー案内孔１７ａ，１７ｂを有し、ロックレバー５ａ，５ｂによりフランジ３ａ，３ｂにアーム６ａ，６ｂが結合される。ロックレバー５ａ，５ｂを緩めることによりフランジ３ａ，３ｂに対しアーム６ａ，６ｂを伸縮移動でき、傾斜角度を変更できる。円柱形サポート７ａでカメラ本体を、円柱形サポート７ｂでレンズをそれぞれ支持する。【選択図】図１
2016109893.tif 000002
【特許請求の範囲】
【請求項１】
カメラ本体とカメラ本体に装着したレンズとを同時に支持可能な三脚用のカメラバランサであって、
一方に開口部を持つネジ案内溝を備える平面状のホルダ部ならびに該ホルダ部の両側部に沿ってそれぞれ形成されアームを締め付け固定するための第１と第２の長孔を有するフレームと、
一端に、断面が曲面形状のサポートを有し、前記第１と第２の長孔にそれぞれ締め付け固定可能な第１および第２のアームと、
前記第１および第２の長孔と前記第１および第２のアームの長孔の間にそれぞれネジを通し締めつけることにより前記フレームに対し前記第１および第２のアームを適宜な角度と位置にそれぞれ取り付け固定するための第１および第２のロックレバーを備え、
前記開口部よりネジ案内溝に前記三脚の雲台のカメラ固定用ネジを挿通し固定することにより前記カメラバランサを前記雲台に取り付け、
前記ネジ案内溝に挿通したカメラ固定用ネジで直接または間接的にカメラ本体付近を固定し、
前記カメラ本体に装着されているレンズの下部を前記第２のアームのサポートで支持し、前記カメラ本体の下部を前記第１のアームのサポートで同時に支持可能なように構成したことを特徴とするカメラバランサ。
【請求項２】
前記第１の長孔と前記第１のアームの間または前記第２の長孔と前記第２のアームの間に延長アームを介在させ、
前記延長アームを前記第１または第２の長孔で案内し伸縮させて取り付け、前記第１または第２のアームを前記延長アームに対し伸縮し回動させて取り付けることにより長大なレンズに対応することを特徴とする請求項１記載のカメラバランサ。
【請求項３】
前記フレームと前記アームはアルミ系金属を用いることを特徴とする請求項１または２記載のカメラバランサ。
【請求項４】
前記フレームのホルダ部にカメラの底部との接触のための緩衝板を設けたことを特徴とする請求項１，２または３記載のカメラバランサ。
【請求項５】
前記サポートは円柱形であり、前記アームの端部に、直角方向に位置付けされて固定されていることを特徴とする請求項１，２，３または４記載のカメラバランサ。
【請求項６】
取り付け部材を、レンズを支持するレンズ支持アームに取り付け、該取り付け部材を凹み部に挿入することによりレンズを装着したカメラを保持するためのカメラ保持台を用意し、
前記ネジ案内溝に挿通したカメラ固定用ネジで間接的にカメラ本体付近を固定するとは、
前記カメラ保持台と前記雲台の間に前記ホルダ部を挟み込むようにカメラバランサのネジ案内溝にカメラ固定用ネジを挿入して固定し、前記取り付け部材を取り付けたレンズ部分を前記カメラ保持台で支持することであることを特徴とする請求項１，２，３，４または５記載のカメラバランサ。
【発明の詳細な説明】
【技術分野】
【０００１】
本発明は、カメラに装着された望遠レンズやズームレンズなどの交換レンズおよびカメラ本体を同時に支持することが可能なカメラバランサに関する。
【背景技術】
【０００２】
望遠レンズなどの交換レンズを装着したカメラを三脚にセットし撮影する場合、交換レンズ部分の重量が大きい場合、レンズ振れを防止してレンズ加重を受けるためのレンズ保持装置が必要となる。
従来、この種のカメラのレンズ鏡胴を保持するためのアクセサリーが種々提案されている。
【０００３】
図１０は、特許文献１のカメラブレ防止装置の構造を説明するための図である。
特許文献１は小さい力で、望遠レンズ付きカメラの望遠レンズを固定するカメラブレ防止装置を提案している。
基盤４１はステンレス製であり、階段状の２段構成で、基盤４１の下段には三脚の雲台に固定するために雲台取付け穴４２Ａ，４２Ｂが設けられている。２つの穴は多種多様な雲台の形状に対応するために設けられている。基盤４１の上段は、カメラ本体を固定する支持台の機能を備えている。基盤４１の上段にはカメラ取付け穴４３が設けられており、カメラ取付け穴４３を通じてカメラ固定用ノブ付きボルト４４でカメラ本体が着脱自在に基盤４１に装着されることを可能にしている。基盤４１の上段にはさらにラバー４５（ゴム製）の膜が貼り付けられ、カメラ本体はその底面が容易に回転しないように基盤４１に固定される構造となっている。基盤４１は一方の辺の側壁に長穴付き側壁４６を備えており、この構造は１枚のステンレス材を折り曲げ加工することにより、剛性，サビ防止，耐久性を確保している。
【０００４】
長穴付き側壁４６の外側には長穴付き腕４８があり、長穴付き側壁４６と長穴付き腕４８をクラッチ板４９Ａ，４９Ｂが挟み込み、アジャストクランプレバー付きボルト４７およびナット５０Ａ，５０Ｂにより圧接固定される構造になっている。アジャストクランプレバー付きボルト４７を緩めると、長穴付き側壁４６のレールに沿って長穴付き腕４８を自由に伸縮できるようになっている。長穴付き腕４８にはその先端にローラー状支承受座５１が設けられている。
長穴付き腕４８を伸縮させ、望遠レンズを固定したい位置でアジャストクランプレバー付きボルト４７で締め付け、この締め付け力をクラッチ板４９Ａ，４９Ｂを介し、長穴付き側壁４６に伝えることにより、長穴付き腕４８を長穴付き側壁４６に圧接することを可能にしている。
このような構造により小さい力で望遠レンズ付きカメラの望遠レンズを固定できるとしている。
【０００５】
このカメラブレ防止装置は、形状が比較的、コンパクトに纏まっているが、十分な強度を出すため、剛性が大きく重量のある金属材料を図１０に示すような形状に加工している。一般に、この種のカメラブレ防止装置はカメラ用アクセサリーであり、携行するものであるので、重量は極力軽量であることが望まれる。
【０００６】
また、レンズ部分を支持する場合の調整としてレバー部付きボルトおよびそれに関連する特別な構造の部品を用いているため、アジャストクランプレバー付きボルト４７を緩めることにより長穴付き腕４８の長穴付き側壁４６への押圧力を小さくし、長穴付き腕４８の位置を決めた後は小さい力で容易に固定できるとしている。
しかしながら、このカメラブレ防止装置を雲台に固定する場合は、雲台の上側には何も置かない状態で、先ず雲台取付け穴４２Ａ，４２Ｂにネジを通し、該ネジを雲台下方のノブで締めることにより取り付ける構造である。したがって、雲台への取付けは従来の取付け構造を踏襲したものである。
さらにこの種のカメラブレ防止装置は、レンズ装着カメラのカメラ側か、レンズ側かを選択して三脚にホールドすることができる構造にし、いずれかを選択する場合も雲台への取付けが容易であることが要請されるものである。
【０００７】
特許文献２には、カメラ支持位置を前後方向，側方向，上下方向に任意に調整できる望遠レンズ付きカメラ支持装置が提案されている。図１１にその取付け構造を示す。
このカメラ支持装置は雲台に取り付けられる固定ベース５５と、固定ベース５５に対して前後に移動可能な可動ベース５６とを備え、可動ベース５６は望遠レンズ５９を第１レンズ支持部５７と第２レンズ支持部５８によって支持し、さらにカメラ支持ブラケット６０によってカメラを支持する構成である。
カメラ支持装置の可動部は、形状が望遠レンズ５９の取付け寸法およびレンズ支持部５７，５８の位置に適合させているので、任意の形状の望遠レンズを保持するのは制限があり、また、雲台への取付け、望遠レンズ，カメラ本体の取付けも手間がかかるものである。
【先行技術文献】
【特許文献】
【０００８】
【特許文献１】特開２００９−２１７１７３号公報
【特許文献２】特開２０１０−２８２０３９号公報
【発明の概要】
【発明が解決しようとする課題】
【０００９】
本件出願人は上記問題を解決するものとして、重量のあるレンズ装着カメラの支持では、軽量で携行が容易であって、装脱着が容易で確実な支持を行うことができるレンズホルダを既に提案している。
ところで、実際に扱う交換レンズはその鏡枠の寸法がかなり長く、かつ重量が大きいものがあり、交換レンズ装着カメラを三脚のアクセサリーに取り付ける場合、交換レンズの長大化に伴い相対的にカメラ本体が後方に位置付けられる形態が生ずる。
このようなカメラを三脚に確実に支持するためには、レンズの鏡枠とカメラ本体を同時に支持する構造のレンズホルダのアクセサリーが求められる。
本発明の目的は、レンズ鏡胴とカメラ本体を同時に支持しつつ、しかもレンズ鏡胴が長い場合でもその長さに対応でき、重量が軽くて携行に嵩張らず、しかも三脚への装脱着が極めて容易なレンズ振れを確実に防止することができるカメラバランサを提供することにある。
【課題を解決するための手段】
【００１０】
前記目的を達成するために本発明による請求項１記載のカメラバランサは、カメラ本体とカメラ本体に装着したレンズとを同時に支持可能な三脚用のカメラバランサであって、一方に開口部を持つネジ案内溝を備える平面状のホルダ部ならびに該ホルダ部の両側部に沿ってそれぞれ形成されアームを締め付け固定するための第１と第２の長孔を有するフレームと、一端に、断面が曲面形状のサポートを有し、前記第１と第２の長孔にそれぞれ締め付け固定可能な第１および第２のアームと、前記第１および第２の長孔と前記第１および第２のアームの長孔の間にそれぞれネジを通し締めつけることにより前記フレームに対し前記第１および第２のアームを適宜な角度と位置にそれぞれ取り付け固定するための第１および第２のロックレバーを備え、前記開口部よりネジ案内溝に前記三脚の雲台のカメラ固定用ネジを挿通し固定することにより前記カメラバランサを前記雲台に取り付け、前記ネジ案内溝に挿通したカメラ固定用ネジで直接または間接的にカメラ本体付近を固定し、前記カメラ本体に装着されているレンズの下部を前記第２のアームのサポートで支持し、前記カメラ本体の下部を前記第１のアームのサポートで同時に支持可能なように構成したことを特徴とする。
本発明による請求項２記載のカメラバランサは、請求項１記載のカメラバランサにおいて、前記第１の長孔と前記第１のアームの間または前記第２の長孔と前記第２のアームの間に延長アームを介在させ、前記延長アームを前記第１または第２の長孔で案内し伸縮させて取り付け、前記第１または第２のアームを前記延長アームに対し伸縮し回動させて取り付けることにより長大なレンズに対応することを特徴とする。
本発明による請求項３記載のカメラバランサは、請求項１または２記載のカメラバランサにおいて、前記フレームと前記アームはアルミ系金属を用いることを特徴とする。
本発明による請求項４記載のカメラバランサは、請求項１，２または３記載のカメラバランサにおいて、前記フレームのホルダ部にカメラの底部との接触のための緩衝板を設けたことを特徴とする。
本発明による請求項５記載のカメラバランサは、請求項１，２，３または４記載のカメラバランサにおいて、前記サポートは円柱形であり、前記アームの端部に、直角方向に位置付けされて固定されていることを特徴とする。
本発明による請求項６記載のカメラバランサは、請求項１，２，３，４または５記載のカメラバランサにおいて、取り付け部材を、レンズを支持するレンズ支持アームに取り付け、該取り付け部材を凹み部に挿入することによりレンズを装着したカメラを保持するためのカメラ保持台を用意し、前記ネジ案内溝に挿通したカメラ固定用ネジで間接的にカメラ本体付近を固定するとは、前記カメラ保持台と前記雲台の間に前記ホルダ部を挟み込むようにカメラバランサのネジ案内溝にカメラ固定用ネジを挿入して固定し、前記取り付け部材を取り付けたレンズ部分を前記カメラ保持台で支持することであることを特徴とする。
【発明の効果】
【００１１】
上記構成によれば、カメラ本体底部とレンズ鏡胴を同時に支持できるため、三脚への取付けがより安定した状態となる。形状が嵩張ることはなく、軽量化を図ることができるため、携行に適した構造となる。また、雲台に取り付ける場合、カメラ保持台（カメラを三脚に取り付けるためのアクセサリーシュー）を取り外すことなく、カメラ保持台と雲台上面の間に挟み込むように挿入して雲台に固定することができるため、三脚にカメラを装着する作業が従来に比較し簡単である。加えてレンズを支持する位置の設定およびその位置での固定がロックレバーの押し上げや押し下げ動作ででき、作業が一層簡易なものとなる。また、軽量化のために材料としてアルミ系金属などを用いても、フレームのホルダ部にフランジを設け、フランジにアームを取り付ける長孔を設ける構造にできるため、レンズ保持のときの強度および耐久性に問題が発生することはない。必要に応じホルダ部に補強のための張り出しを設けることができる。
【図面の簡単な説明】
【００１２】
【図１】本発明によるレンズ鏡胴およびカメラ本体を同時に支持可能なカメラバランサの実施の形態を示す図で、（ａ）は平面図，（ｂ）は正面図をそれぞれ示している。
【図２】図１のフレームの構造を示す図で、（ａ）は平面図，（ｂ）は底面図，（ｃ），（ｄ）は（ｂ）の右側面図，左側面図をそれぞれ示している。
【図３】図１のアームおよび円柱形サポートの構造を示す図で、（ａ）は正面図，（ｂ）は左側面図をそれぞれ示している。
【図４】図１のロックレバー、抑えリングなどにより構成されるロックレバー組体の分解図および図６のつまみロックネジ、抑えリングなどにより構成されるつまみロックネジの組立の分解図である。
【図５】カメラ保持台の構造を示す図で、（ａ）は平面図，（ｂ）は正面図，（ｃ）は（ａ）の右側面図をそれぞれ示している。
【図６】本発明によるレンズ鏡胴およびカメラ本体を同時に支持可能なカメラバランサの他の実施の形態を示す図で、（ａ）は平面図，（ｂ）は正面図をそれぞれ示している。
【図７】延長アームの構造を示す図で、（ａ）は正面図，（ｂ）は平面図をそれぞれ示している。
【図８】本発明によるレンズ鏡胴およびカメラ本体を同時に支持可能なカメラバランサの取付方法を説明するための図で、雲台にカメラバランサを取り付け、カメラ本体およびレンズを支持している状態を示している。
【図９】本発明によるレンズ鏡胴およびカメラ本体を同時に支持可能なカメラバランサの取付方法を説明するための図で、延長アームを装着して長大なレンズ鏡枠およびカメラ本体を支持している状態を示している。
【図１０】カメラの振れを防止する装置の従来例を説明するための図である。
【図１１】望遠レンズ付きカメラを支持する装置の従来例を説明するための図である。
【発明を実施するための形態】
【００１３】
以下、図面を参照して本発明の実施の形態を詳しく説明する。
図１は本発明によるレンズ鏡胴およびカメラ本体を同時に支持可能なカメラバランサの実施の形態を示す図で、（ａ）は平面図，（ｂ）は正面図をそれぞれ示している。
カメラバランサ１０はフレーム１，アーム６ａ，６ｂ，円柱形サポート７ａ，７ｂおよびロックレバー５ａ，５ｂによって構成されている。円柱形サポート７ａはカメラ本体を、円柱形サポート７ｂはレンズ鏡胴を同時に支持できるものである。円柱形サポート７ａはレンズ鏡胴を、円柱形サポート７ｂはカメラ本体を支持するようにカメラをカメラバランサ１０に取り付けることも可能である。フレーム１は、カメラ本体またはレンズを支持するためのホルダ部１６の両端それぞれに垂直方向にフランジ３ａと３ｂが形成され、例えばアルミ材が用いられる。
ホルダ部１６の中央部には一方に開口部２ａを有するネジ案内溝２がフランジ３ａと３ｂに対し平行に設けられている。このネジ案内溝２を挟んで２つの四角形状のコルク緩衝板１１ａ，１１ｂが設けられている。接触するカメラ底部をキズなどが生じることなく確実に保持するためである。
【００１４】
ホルダ部１６の板厚は例えば、４．０ｍｍで、ネジ案内溝２の溝幅は１０ｍｍに加工されている。ホルダ部１６の平面形状部はほぼ９０ｍｍ×７０ｍｍの矩形形状であり、強度確保のために張り出し１ａ，１ｂを有し、フランジ３ａ，３ｂは折り曲げ加工でも、切削加工で形成してもよい。
図２に図１のフレームの構造を示す。（ａ）は平面図，（ｂ）は底面図，（ｃ），（ｄ）は（ｂ）の右側面図，左側面図をそれぞれ示している。
フランジ３ａ，３ｂの形状は図２の（ｃ），（ｄ）に示すように長方形状であり、中央に長孔４ａ，４ｂが形成されている。
【００１５】
図１の（ｂ）において、アーム６ａ，６ｂは長方形状であり、フランジ３ａ，３ｂと略同様に中央にロックレバー案内孔１７ａ，１７ｂが形成されている。
アーム６ａ，６ｂの先端には支持ピン８ａ，８ｂが取り付けられており、支持ピン８ａ，８ｂに円柱形サポート７ａ，７ｂが固定されている。
図３に図１のアームおよび円柱形サポートの構造を示す。（ａ）は正面図，（ｂ）は左側面図をそれぞれ示している。
支持ピン８ａ，８ｂはアーム６ａ，６ｂの先端部分に形成されている孔（図示されていない）に挿入され、止めネジ１５ａ，１５ｂによりネジ止めされて固定されている。支持ピン８ａ，８ｂの中央左寄りに円柱形サポート７ａ，７ｂが、中央の貫通孔（図示されていない）が支持ピン８ａ，８ｂに挿通され支持ピン８ａ，８ｂに形成されているネジに止めネジ９ａ，９ｂが螺合されて固定されている。円柱形サポート７ａ，７ｂはプラスチック材が用いられている。アーム６ａ，６ｂの板厚は例えば６ｍｍである。
【００１６】
図１において、フランジ３ａ，３ｂの長孔４ａ，４ｂとアーム６ａ，６ｂのロックレバー案内孔１７ａ，１７ｂを合わせてロックレバー５ａ，５ｂの軸を通しネジで螺合して締め付けることにより、フランジ３ａ，３ｂに対しアーム６ａ，６ｂを移動する位置と傾き角度を任意に選んで固定できる。この操作により、カメラを三脚に取り付けたときレンズを受ける支持位置を自由に選択することができる。
図４の上段側に、図１のロックレバー、抑えリングなどにより構成されるロックレバー組体の分解図を示す。
ロックレバー５ａ，５ｂ（図４の（ａ）の部分）は円筒本体５−２にレバー５−１が一体に形成され、円筒本体５−２に形成された貫通孔（図示しない）に円柱体５−４が嵌入される構造になっている。円柱体５−４はネジ５−３を有している。円柱体５−４と円筒本体５−２の間にバネ材（図示されていない）が内蔵され、円柱体５−４に対し軸方向に円筒本体５−２が付勢されている。レバー５−１を把持し円柱体５−４の頭部を押すことにより付勢力に逆らって円筒本体５−２が軸方向に移動し、さらに回転が可能である。このような構造により円筒本体５−２を引き出し移動して回転させ円筒本体５−２を解放することにより、レバー５−１を自由に回転させた位置に調整することが可能である。レバー５−１の位置を邪魔にならない位置または使いやすい位置に移動回転させる場合に好都合である。
【００１７】
ロックレバー５ａ，５ｂを締め付ける補助部材として金属製の抑えリング１３（図４の（ｂ）），プラスチック材の抑えリング１２（図４の（ｃ））および回転を防止する四角形状の突起１４ａを有する角形ネジ１４（図４の（ｄ））が用意される。フランジ３ａ，３ｂへのアーム６ａ，６ｂの取付けは、両者を合わせた孔にロックレバー５ａ，５ｂのネジ５−３を挿通することにより行うが、まず金属製の抑えリング１３および抑えリング１２を入れ、さらにフランジ３ａ，３ｂの長孔４ａ，４ｂに貫通したロックレバー５ａ，５ｂのネジ５−３に角形ネジ１４を螺合させ締め付けることにより行う。角形ネジ１４の突起１４ａの部分がフランジ３ａ，３ｂの長孔４ａ，４ｂに嵌合することによりロックレバー５ａ，５ｂの締め付け時の回転を防止できる。
【００１８】
図４の下段側に、図６のつまみロックネジ、抑えリングなどにより構成されるつまみロックネジの組体の分解図を示す。
この組体のつまみロックネジ１９および角形ネジ２８の形状はロックレバー５ａ，５ｂおよび角形ネジ１４とはそれぞれ異なり、他の部材は同じ形状である。つまみロックネジ１９は図４の（ｅ）に示すように、円筒本体１９−１に、ネジ１９−２が形成された円柱体１９−３が固定された構造であり、延長アーム１８（図６参照）が短縮した位置に調整された場合にロックレバー５ｂとの接触距離を極力小さくしたものである。
角形ネジ２８は、図４の（ｈ）に示すように突起２８ａの形状が略矩形状であって、その突出量がフランジ３ｂの長孔４ｂに達する長さである。したがって、延長アーム１８をフランジ３ｂに対し伸縮させ締め付け固定する場合、延長アーム１８が水平方向にのみ繰り出され、締め付け時、回転が阻止される。
【００１９】
図５は、カメラ保持台の構造を示す図で、（ａ）は平面図，（ｂ）は正面図，（ｃ）は（ａ）の右側面図をそれぞれ示している。カメラシューと云われるものである。
カメラ保持台２７はワンタッチでカメラ本体を三脚に装着し、また取り外すことができる。
カメラ本体３１の底部に取り付けられたカメラ保持台嵌合部２１はカメラ保持台２７の凹み形状の収容部２７ａに嵌合させられ固定される。
カメラ保持台２７は略長方形状であり、一辺が山形状になっている。その山形状の頂部付近に止めピン２３によって回転可能に結合レバー２２が止められている。結合レバー２２は矢印２６方向に付勢されている。結合レバー２２の隣合わせ位置に突起２５が設けられており、突起２５は上方向に付勢され、その頭部を抑えることにより収容部２７ａの底部と同じ位置まで後退するようになっている。
【００２０】
カメラが装着されていないときは結合レバー２２は実線で描いた位置になっており、突出した状態になっている突起２５によってその回転が制限されている。カメラ本体３１を装着するためにカメラ保持台嵌合部２１を収容部２７ａに押し込むと、カメラ保持台嵌合部２１の底部は突起２５の頭部を押し下げる。そのため結合レバー２２は矢印２６の方向に回転を開始し、２点鎖線で示した位置まで回転して突起２５の頭を抑えた状態となり、カメラ本体は固定される。カメラを外す場合、結合レバー２２ａを付勢力に逆らって矢印２６とは反対方向に押して回転させることにより突起２５の頭部は解放されるため、カメラは押し上げられカメラ保持台２７から外すことができる。
【００２１】
図６は本発明によるレンズ鏡胴およびカメラ本体を同時に支持可能なカメラバランサの他の実施の形態を示す図で、（ａ）は平面図，（ｂ）は正面図をそれぞれ示している。
このカメラバランサ２０は長大なレンズ鏡枠を装着したカメラを支持するもので、図１の実施の形態に延長アーム１８を取り付けたものである。
フレームの形状は図１に示すフレーム１と同じであり、各フランジに取り付けるアーム６ａ，６ｂの形状，アーム６ａ，６ｂの各フランジ３ａ，３ｂへの取付け構造（ロックレバー５ａ，５ｂと角形ネジ１４による取付け）並びに円柱形サポート７ａ，７ｂの形状および円柱形サポート７ａ，７ｂのアーム６ａ，６ｂへの取付構造は同じである。
【００２２】
延長アーム１８は図７に示すように長方形状であって中央に長孔１８ａが形成されている。延長アーム１８はフランジ３ｂの長孔４ｂに図４の（ｅ）（ｆ）（ｇ）（ｈ）に示す角形ネジ２８，抑えリング１２，抑えリング１３およびつまみロックネジ１９の組み立てにより取り付けられる。角形ネジ２８の突起２８ａは延長アーム１８の長孔１８ａからフランジ３ｂの長孔４ｂに達する長さであり，延長アーム１８はフランジ３ｂに対し、延長方向にのみ伸縮の調整ができ、つまみロックネジ１９による締め付けの際、フランジ３ｂに対し延長アーム１８は回転することはなく固定できるのは前述した通りである。
延長アーム１８は図６に示すフランジ３ｂ側ではなく、フランジ３ａ側に取り付ける構成にしてもよい。
【００２３】
図８は、本発明によるレンズ鏡胴およびカメラ本体を同時に支持可能なカメラバランサの取付方法を説明するための図で、図１の実施の形態を用いて雲台にカメラバランサを取り付け、カメラ本体およびレンズを支持している状態を示している。
雲台３０は矢印３８の撮影方向に向いて図示しない三脚がセットされているとする。
雲台３０の上面とカメラ保持台２７（図５参照）の底部の隙間がカメラバランサ１０のフレーム１の厚さ以上の寸法になるように雲台側のネジ３０ａを調整することにより雲台３０にカメラ保持台２７が仮止めされる。
カメラバランサ１０のフレーム１をネジ案内溝２の開口部２ａ（図１参照）から矢印３９の方向に雲台３０の上面とカメラ保持台２７の底部の隙間に差し込み、ネジ案内溝２と雲台側のネジ３０ａが適切な位置になるように位置付けして雲台側のネジ３０ａを締め付けることにより、カメラバランサ１０が三脚上の雲台３０に取り付けられる。
【００２４】
交換レンズ３３の鏡枠の付け根付近にはレンズ支持アーム３３ａが取り付けられており、このレンズ支持アーム３３ａの下端にカメラ保持台嵌合部２１（図５参照）が取り付けられている。カメラ保持台嵌合部２１をカメラ保持台２７に装着することにより、交換レンズ３３が装着されたカメラ本体３１を雲台３０に固定することができる。
レンズ支持アーム３３ａの下端のカメラ保持台嵌合部２１による雲台３０への取り付けだけでは、カメラ本体３１を支持すべき円柱形サポート７ａおよび交換レンズ３３を支持すべき円柱形サポート７ｂは適切な位置に調整されていない。ロックレバー５ａを緩めアーム６ａの位置を伸縮移動し傾斜角度を変更することにより、円柱形サポート７ａの位置を移動させてカメラ本体３１を支持するための最適な位置を選択することができる。
一方、交換レンズ３３の支持のためロックレバー５ｂを緩めた状態でアーム６ｂを適宜伸縮させアーム６ｂの先端部の円柱形サポート７ｂを交換レンズ３３の下部に押し当てることによりカメラを略水平状態に支持してロックレバー５ｂを締め付け固定する。ロックレバー５ａ，５ｂはレバー５−１を引っ張り上げ回転させることにより好都合な位置にレバー５−１の角度を変更することができる。
交換レンズ３３とカメラ本体３１を同時に支持できる構造であるので、カメラのブレを少なくすることができる。
【００２５】
図９は、本発明によるレンズ鏡胴およびカメラ本体を同時に支持可能なカメラバランサの取付方法を説明するための図で、図６の実施の形態を用いて長大なレンズ鏡枠およびカメラ本体を支持している状態を示している。
このカメラバランサ２０は長いレンズに対応するためのもので、フランジ３ｂとアーム６ｂの間に延長アーム１８が挿入されている。延長アーム１８とフランジ３ｂとの間は図４の（ｈ）に示す角形ネジ２８と（ｅ）に示すつまみロックネジ１９などにより構成される組体によって締め付け固定される。角形ネジ２８の突起２８ａは矩形形状で、長さが延長アーム１８の長孔１８ａに達するため、延長アーム１８はフランジ３ｂに対し、回転することなく伸縮した位置で固定される。
アーム６ａと６ｂは図８と同様、カメラ本体３６の底部と交換レンズ３５の下部に円柱形サポート７ａ，７ｂをそれぞれ押し当て水平を維持する状態にしてロックレバー５ａ，５ｂでそれぞれ締め付けることによりカメラ本体３６と交換レンズ３５は支持される。
【００２６】
フレーム１のホルダ部１６に形成されるネジ案内溝２は図１に示すような形状の実施の形態を示したが、他の形状でも可能である。図１の実施の形態ではネジ案内溝２をフランジ３ａ，３ｂと平行に設けているが、フランジ３ａ，３ｂに対し平行ではない方向にネジ案内溝２を設けてもよい。また、直線状ではなく、Ｔ形状や類似の形状に加工してもよい。
円柱形サポートをプラスチック材とする実施の形態を示したが、カメラ本体の底部やレンズの鏡胴を受けるために適切な摩擦力を有し、かつ、カメラ底部などをキズつけない材質であれば、金属製やその他の材質であってもよい。
【産業上の利用可能性】
【００２７】
カメラ振れを防止するためのカメラバランサである。
【符号の説明】
【００２８】
１  フレーム
２  ネジ案内溝
３ａ，３ｂ  フランジ
４ａ，４ｂ  長孔
５ａ，５ｂ  ロックレバー
５−１  レバー
５−２  円筒本体
５−３  ネジ
５−４  円柱体
６ａ，６ｂ  アーム
７ａ，７ｂ  円柱形サポート
８ａ，８ｂ  支持ピン
９ａ，９ｂ，１５ａ，１５ｂ  止めネジ
１０，２０  カメラバランサ
１１ａ，１１ｂ  コルク緩衝板
１２  抑えリング（プラスチック）
１３  抑えリング（金属製）
１４，２８  角形ネジ
１６  ホルダ部
１７ａ，１７ｂ  ロックレバー案内孔
１８  延長アーム
１９  つまみロックネジ
【図１】
2016109893.tif 000003
【図２】
2016109893.tif 000004
【図３】
2016109893.tif 000005
【図４】
2016109893.tif 000006
【図５】
2016109893.tif 000007
【図６】
2016109893.tif 000008
【図７】
2016109893.tif 000009
【図８】
2016109893.tif 000010
【図９】
2016109893.tif 000011
【図１０】
2016109893.tif 000012
【図１１】
2016109893.tif 000013